(57)【要約】【課題】嵌合ロック片を形成するシェルそれ自体によってロック強度を向上させる構造を提供する。【解決手段】ハウジングと、このハウジングの上面、下面、及び側面を覆う金属シェルを有し、ハウジングと金属シェルを利用して嵌合口が形成されている。金属シェルは、ハウジングの側部前壁を覆う金属シェルの一部を延伸させた延伸部を嵌合口の前側からコネクタの後方へ向かって折り曲げて相手コネクタとの嵌合方向に沿って配置した嵌合ロック片を有する。嵌合ロック片は、相手コネクタが嵌合口を通じて嵌合されたときに相手コネクタのロック手段とロックされ得る対応ロック手段を有する。嵌合ロック片は、ハウジングの上面と下面を覆う金属シェルの上板及び底板に係止される。【選択図】図１
2008041268.tif 000002
【特許請求の範囲】
【請求項１】
相手コネクタとの嵌合時に、この相手コネクタとの間でロックを行うロック機構を備えたコネクタにおいて、
前記コネクタは、ハウジングと、このハウジングの上面、下面、及び側面を覆う金属シェルを有し、前記ハウジングと前記金属シェルを利用して嵌合口が形成されており、
前記金属シェルは、前記嵌合口の側部に前記相手コネクタとの嵌合方向に沿って配置した嵌合ロック片を有しており、
前記嵌合ロック片は、前記相手コネクタが前記嵌合口を通じて嵌合されたときに前記相手コネクタのロック手段とロックされ得る対応ロック手段を有しており、
前記嵌合ロック片は、前記ハウジングの上面と下面を覆う前記金属シェルの上板及び底板に係止されることを特徴とするコネクタ。
【請求項２】
前記嵌合ロック片は、前記ハウジングの側部前壁を覆う前記金属シェルの一部を延伸させた延伸部を前記嵌合口の前側から前記コネクタの後方へ向かって折り曲げることによって形成されている請求項１に記載のコネクタ。
【請求項３】
前記嵌合ロック片は、前記ハウジングの上面及び下面に向かって延長された突出部を、前記金属シェルの上板及び底板に設けた穴に入れることによって係止される請求項１又は２に記載のコネクタ。
【請求項４】
前記嵌合ロック片は、前記延伸部を前記嵌合口の内部へ向かって折り曲げることによって形成されている請求項１乃至３のいずれかに記載のコネクタ。
【請求項５】
前記嵌合ロック片は、前記延伸部を前記嵌合口の外側へ向かって折り曲げることによって形成されている請求項１乃至３のいずれかに記載のコネクタ。
【請求項６】
前記嵌合ロック片は、前記金属シェルの上板若しくは底板の側部を下方若しくは上方に折り曲げることによって形成されている請求項１に記載のコネクタ。
【請求項７】
前記嵌合ロック片は、前記ハウジングの上面又は下面のいずれか一方に向かって延長された突出部を、前記金属シェルの上板又は底板に設けた穴に入れることによって係止される請求項１又は６に記載のコネクタ。
【請求項８】
前記金属シェルの上面や下面に設けた穴の縁に段が設けられている請求項３又は７のいずれかに記載のコネクタ。
【請求項９】
前記対応ロック手段は孔である請求項１乃至８のいずれかに記載のコネクタ。
【請求項１０】
前記対応ロック手段は凹部である請求項１乃至８のいずれかに記載のコネクタ。
【請求項１１】
前記嵌合ロック片の突出部は、前記ロック孔の正に上下位置に配置されている請求項９に記載のコネクタ。
【発明の詳細な説明】
【技術分野】
【０００１】
本発明は、ロック機構を備えたコネクタ、更に言えば、相手コネクタとの嵌合時に、この相手コネクタとの間でロックを行うロック機構を備えたコネクタに関する。
【背景技術】
【０００２】
図５に、従来コネクタのロック機構の一例を概略断面斜視図で示す。この図は、特開２００４−３２７１６８号公報に開示されているものに対応する。この従来コネクタは、プラグコネクタ１００とレセプタクルコネクタ１１０の対から成っているが、図面簡略化のため、図５には、プラグコネクタ１００における右前方端のロックレバー１４５と、レセプタクルコネクタ１１０における右前方端のロック機構に関連する周辺部材だけを示している。尚、これらプラグコネクタ１００とレセプタクルコネクタ１１０は、共に、長手方向において対称形状を有すると考えてよい。
【０００３】
レセプタクルコネクタ１１０は、樹脂等の絶縁材料でできたハウジング１４０と、このハウジング１４０に所定のピッチ間隔で配列される多数の端子１２５と、ハウジング１４０の外部を略筒状に覆うシェル１６０と、このシェル１６０の背面に設けたグランドプレート１２０を備える。レセプタクルコネクタ１００の嵌合孔２００には、シェル１６０の一部を外側に折り曲げることによって折込部（嵌合ロック片）１６３が形成されており、各折込部１６３の長手方向の中央付近には凸部１６４、１６５が、先端にはエッジ１６６、１６７が、各折込部１６３の凸部１６４、１６５よりも根元側にはロック孔１７０が、それぞれ設けてある。また、グランドプレート１２０の長手方向両端部には、クリップ部１２７が形成されており、各クリップ部１２７には上側ばね部１２８と下側ばね部１３０が、更に、上側ばね部１２８には穴部１２９が、下側ばね部１３０には切欠１３１が、それぞれ設けてある。
【０００４】
ハウジング１４０へのシェル１６０の組み込みの際、各凸部１６４、１６５はハウジング１４０の各溝１５０等にそれぞれ入り込むことによって、各折込部１６３は左右方向において位置決めされ、また、各折込部１６３の各エッジ１６６はグランドプレート１２０の孔部１２９に入り込み、また、各エッジ１６７は切欠１３１に入り込むことによって、各折込部１６３はレセプタクルコネクタ１１０の所定位置に位置決めされる。
【０００５】
このレセプタクルコネクタ１１０に、プラグコネクタ１００は、図示矢印ア方向にて、レセプタクルコネクタ１１０の嵌合口２００を通じて嵌合される。これらレセプタクルコネクタ１１０とプラグコネクタ１００の嵌合時に、図示されている側のロック機構においては、プラグコネクタ１００のロックレバー１４５は、その先端付近に設けた内方に突出するフック部１４７とレセプタクルコネクタ１１０の折込部１６３の接触を通じて、図示矢印イ方向に変位され、その後、プラグコネクタ１００がレセプタクルコネクタ１１０に完全に嵌合し、プラグコネクタ１００の端子（図示されていない）とレセプタクルコネクタ１１０の端子１２５が接触したときに、ロックレバー１４５のフック部１４７は、ロックレバー１４５による弾性力によって、図示矢印イ方向とは逆方向に変位して、レセプタクルコネクタ１１０の対応ロック孔１７０にパチンと嵌まる。この結果、プラグコネクタ１００とレセプタクルコネクタ１１０は互いにロックされる。
【０００６】
【特許文献１】特開２００４−３２７１６８号公報
【発明の開示】
【発明が解決しようとする課題】
【０００７】
上の従来コネクタでは、ロック孔１７０を形成する折込部１６３をハウジング１４０に設けた溝によって保持しているため、例えば左右方向に生じるこじりに対して、ロック強度が弱いといった問題を有する。ロック強度が弱いと、例えばこじった場合、或いは、プラグコネクタ１００をレセプタクルコネクタ１１０から無理抜きしようとした場合に、ロックが解除される前に折込部１６３が引きずり出されてしまうこともある。
【０００８】
また、上の従来コネクタでは、シェル１６０の折込部１６３をシェル１６０とは全く別部品であるグランドプレート１２０のクリップ部１２７を用いて保持するものであるため、構造が複雑となり、部品点数が増加するといった問題もある。更に、このように全く別部品を用いてそれらを組み合わせる構造を採用した場合は、各部品の精度の影響で、例えばロック穴の位置が組立によってばらついてしまうといった問題もある。
【０００９】
本発明はこのような従来技術における問題点を解決するためになされたものであり、嵌合ロック片を形成するシェルそれ自体によってロック強度を向上させる構造を提供するものである。
【課題を解決するための手段】
【００１０】
本発明は、相手コネクタとの嵌合時に、この相手コネクタとの間でロックを行うロック機構を備えたコネクタにおいて、前記コネクタは、ハウジングと、このハウジングの上面、下面、及び側面を覆う金属シェルを有し、前記ハウジングと前記金属シェルを利用して嵌合口が形成されており、前記金属シェルは、前記嵌合口の側部に前記相手コネクタとの嵌合方向に沿って配置した嵌合ロック片を有しており、前記嵌合ロック片は、前記相手コネクタが前記嵌合口を通じて嵌合されたときに前記相手コネクタのロック手段とロックされ得る対応ロック手段を有しており、前記嵌合ロック片は、前記ハウジングの上面と下面を覆う前記金属シェルの上板及び底板に係止されることを特徴としている。
上記コネクタにおいて、前記嵌合ロック片は、前記ハウジングの側部前壁を覆う前記金属シェルの一部を延伸させた延伸部を前記嵌合口の前側から前記コネクタの後方へ向かって折り曲げることによって形成されていてもよい。
【００１１】
上記コネクタにおいて、前記嵌合ロック片は、前記ハウジングの上面及び下面に向かって延長された突出部を、前記金属シェルの上板及び底板に設けた穴に入れることによって係止されるようになっていてもよい。
また、上記コネクタにおいて、前記嵌合ロック片は、前記延伸部を前記嵌合口の内部へ向かって折り曲げることによって形成されていてもよい。
更に、上記コネクタにおいて、前記嵌合ロック片は、前記延伸部を前記嵌合口の外側へ向かって折り曲げることによって形成されていてもよい。
【００１２】
上記コネクタにおいて、前記嵌合ロック片は、前記金属シェルの上板若しくは底板の側部を下方若しくは上方に折り曲げることによって形成されていてもよい。
また、上記コネクタにおいて、前記嵌合ロック片は、前記ハウジングの上面又は下面のいずれか一方に向かって延長された突出部を、前記金属シェルの上板又は底板に設けた穴に入れることによって係止されるようになっていてもよい。
【００１３】
上記コネクタにおいて、前記金属シェルの上面や下面に設けた穴の縁に段が設けられていてもよい。
【００１４】
上記コネクタにおいて、前記対応ロック手段は孔であってもよいし、凹部であってもよい。
【００１５】
上記コネクタにおいて、前記嵌合ロック片の突出部は、前記ロック孔の正に上下位置に配置されていてもよい。
【発明の効果】
【００１６】
本発明によれば、嵌合ロック片をシェル単体で保持することにより、部品点数を減少させつつ、ロック強度を向上させることができる。
【発明を実施するための最良の形態】
【００１７】
以下、添付図面を参照して、本発明の好適な一つの実施形態によるコネクタを説明する。以下の説明では、電気コネクタを例に挙げているが、本発明のコネクタは、電気コネクタに限らず、例えば、光コネクタ等にも利用できる。故に、本発明は、電気コネクタに限定されるものではない。
【００１８】
図１に、本発明による電気コネクタの上面斜視図、図２に、レセプタクルのみの分解斜視図、図３に、図２の（ｃ）におけるＡ−Ａ線断面図、図４に、同図におけるＢ−Ｂ線断面図を、それぞれ示す。
【００１９】
電気コネクタ１は、着脱自在に嵌合され得るプラグコネクタ（ケーブル接続用コネクタ）２とレセプタクルコネクタ（基板接続用コネクタ）６の対から成る。実際の使用時には、レセプタクルコネクタ６は、基板に固定される等して使用される。図面からも明らかな通り、これらプラグコネクタ２とレセプタクルコネクタ６は、共に、長手方向において対称形状を有する。
【００２０】
先ず、プラグコネクタ２について説明する。プラグコネクタ２は、主に、樹脂製のプラグハウジング２０と、このプラグハウジング２０の内部に所定のピッチ間隔で並列に配列固定される複数の雄端子５０と、更に、プラグハウジング２０の外部を覆う金属製のプラグシェル４０を備える。各雄端子５０には、１対１対応で、複数の同軸ケーブル１０を設けることができる。
【００２１】
プラグハウジング２０は、プラグシェル４０によって略筒状に周囲を覆われた長方形状の筐体２１と、この筐体２１からレセプタクルコネクタ６との嵌合方向に突出した嵌合部２２を有する。プラグコネクタ２とレセプタクルコネクタ６の嵌合時に、嵌合部２２は、レセプタクルコネクタ６の嵌合口１１を通じてレセプタクルコネクタ６の内部に挿入される。嵌合部２２の長手方向両端には、それぞれ、レセプタクルコネクタ６との嵌合方向に多少突出した状態でガイドポスト２３、２４が設けられており、更に、これらガイドポスト２３、２４には、左右各側にて外部に突出したロック部２５、２６が設けてある。尚、これらロック部２５、２６は、図５に示した従来コネクタのフック部１４７に相当し得る。プラグコネクタ２とレセプタクルコネクタ６の嵌合時に、これらロック部２５、２６は、レセプタクルコネクタ６に対応して設けられたロック孔９１と、図５に示したものと同様の方法（但し、図５の例では、ロック部に相当するフック部１４７が内側を向いているのに対し、本願発明では、ロック部２５、２６は外側を向いている）で係合し、これによってプラグコネクタ２とレセプタクルコネクタ６は互いにロックされる。各ロック部２５、２６は、レセプタクルコネクタ６との嵌合方向に向かって嵌合部２２の中心側に傾斜している傾斜面２７、２８を有しており、また、これら各ロック部２５、２６の水平断面は略直角三角形状とされている。傾斜面２７、２８を設けることにより、ロックする際の力を弱めてロックを容易にする一方、ロック後においてはロックをより確実にすることができる。
【００２２】
プラグシェル４０は、上面部４１と下面部４２の２部分から成る。上面部４１の側面及び背面には、下方に向かって垂直に折り曲げられた側面折曲部４４及び背面折曲部４５が設けられており、更に、これら側面折曲部４４や背面折曲部４５のそれぞれの中心付近に、プラグハウジング２０の対応位置に設けた係合凸部３７、３８と係合される孔４７、４８が設けてある。更にまた、プラグシェル４０の上面部４１には、プラグハウジング２０の対応位置に設けた埋め込み部３６に埋め込まれる埋込み固定部４６が所定間隔を空けて３つ設けられている。プラグシェル４０をハウジング２０に取り付ける際、プラグシェル４０の孔４７、４８にハウジング２０の係合凸部３７、３８を係合させ、また、プラグハウジング２０の埋め込み部３６にプラグシェル４０の埋込み固定部４６を固定することにより、プラグシェル４０はハウジング２０に固定される。下面部４２については特に説明しないが、同様の方法でプラグハウジング２０に固定されていると考えてよい。ロック金具３９は、ロック部２５、２６とレセプタクルコネクタ６のロック孔９１との間のロックを解除する解除用レバーとして使用されるものであり、解除時に押圧されて、ロック部２５、２６を偏移させることによりロックを解除するものである。
【００２３】
図面からは一部のみしか明らかでないが、同軸ケーブル１０は、プラグハウジング２０のハウジング溝に沿って、レセプタクルコネクタ６との嵌合方向に沿って複数並列に配列され、それら同軸ケーブル１０の先端付近には、露出されたシールド線が設けられている。これらシールド線は、プラグシェル４０を利用してグランドに接続される一方、同軸ケーブル１０の先端部に露出されたケーブル芯線は、それぞれ、１対１対応で雄端子５０に固定されている。
【００２４】
次いで、レセプタクルコネクタ６について説明する。レセプタクルコネクタ６は、主に、樹脂製のレセプタクルハウジング６０と、このレセプタクルハウジング６０の内部に所定のピッチ間隔で並列に配列固定される複数の雌端子８０と、更に、レセプタクルハウジング６０の外部を覆う金属製のレセプタクルシェル７０を備える。
【００２５】
レセプタクルコネクタ６には、レセプタクルハウジング６０とレセプタクルシェル７０を利用して嵌合口１１（図１）が形成されており、また、レセプタクルコネクタ６は、図２の矢印で示すように、雌端子８０をレセプタクルハウジング６０の背面から圧入し、レセプタクルハウジング６０をレセプタクルシェル７０の背面から挿入することによって、簡単に組み立てることができる。
【００２６】
レセプタクルハウジング６０の長手方向両端に、それぞれ、プラグコネクタ２のガイドポスト２３、２４が挿入される収容空間６３、６４が設けてある。更に、これら各収容空間６３、６４には、それぞれ、それらの背面側に向かって、レセプタクルシェル７０の一部である嵌合ロック片９０の自由端９２を挿入してそこに位置決めするための矩形孔６５が設けられている。収容空間６３側の矩形孔は図面には表れていないが、レセプタクルコネクタ６は対称形状を有することから、矩形孔６５と全く同様のものであると考えてよい。更に、レセプタクルハウジング６０には、雌端子８０に対応して、プラグコネクタ２との嵌合方向に沿って設けた複数の端子溝６２が設けられており、また、レセプタクルシェル７０に設けたグランド片７６を配置するための切り欠き部６６も設けてある。
【００２７】
各雌端子８０の後端に、基板への固定を考慮して水平に形成された基板固定部８３が設けてある。また、各雌端子８０の先端は、雄端子を内部に受け入れることができるように略コ字状に形成されており、レセプタクルの高さ方向の上側及び下側の対向位置に、それぞれ、雄端子５０と接触し得る上側接触部８１と下側接触部８２を有する。雌端子８０では、このように２点接触構造が採用されており、これによって、雄端子５０との接触の信頼性を向上させることができるようになっている。
【００２８】
打抜き、折り曲げ等によって予め図２の（ｃ）に示すような形状に形成されたレセプタクルシェル７０に、レセプタクルハウジング６０が挿入されると、レセプタクルシェル７０は、レセプタクルハウジング６０の上面６７、下面６８、左右側面６９を略筒状に覆う。レセプタクルハウジング６０をレセプタクルシェル７０に挿入した後、レセプタクルシェル７０の後方底面に設けた後方押え部７３をその根元７４付近でレセプタクルハウジング６０の背面に沿って垂直に立ち上げることにより、レセプタクルシェル７０をレセプタクルハウジング６０に前後方向において固定することができる。同様に、レセプタクルシェル７０の上板７７に連続状態で設けた側面押え部７２を、レセプタクルハウジング６０の側面６９に沿って下方に折り曲げることにより、レセプタクルシェル７０をレセプタクルハウジング６０の側面方向において固定することもできる。特に、レセプタクルコネクタ６の前方縁７９は、嵌合口１１の内側に向かって上下両側から折り曲げられており、これら折り曲げ部７９を設けることによって、プラグコネクタ２によるこじりに対する強度を大幅に増加させるようになっている。尚、レセプタクルシェル７０の両側部に設けているのは、レセプタクルを基板へ半田接続するための基板用固定部７１である。
【００２９】
レセプタクルシェル７０には、レセプタクルハウジング６０の左右側面６９の側部前壁６１を取り巻く前壁９３を形成しつつ一部を延伸させた延伸部を、嵌合口１１の前側からレセプタクルコネクタ６の後方且つ嵌合口１１の内部へ向かって折り曲げることにより嵌合ロック片９０が設けてある。これら嵌合ロック片９０は、プラグコネクタ２との嵌合方向に沿って配置される。尚、これら嵌合ロック片９０は、単に折り曲げによって形成されているものであるから、全体としては略平板状である。
【００３０】
各嵌合ロック片９０の長手方向前方側（嵌合側）の中央付近に、プラグコネクタ２が嵌合口１１を通じて嵌合されたときにプラグコネクタ２のロック部２５、２６と係合し得るロック孔９１が設けてあり、更に、このロック孔９１の正に上下位置に、レセプタクルハウジング６０の上面６７及び下面６８に向かってそれぞれ延長された上突出部９４、下突出部９５が設けてある。尚、ロック孔９１は、ロック部２５、２６と係合し得るものであればよく、例えば、孔ではなく単なる凹部（ロック凹部）として形成されていてもよい。これら上突出部９４、下突出部９５を、それぞれ、レセプタクルハウジング６０の上面６７と下面６８を覆うレセプタクルシェル７０の上板７７、底板７８の上固定穴９６、下固定穴９７にそれぞれ入れることで、嵌合ロック片９０はレセプタクルハウジング６０の上下方向において固定され、プラグコネクタ２のレセプタクルコネクタ６からのロック引き抜き方向に対する強度を強化した構造としてある。このように、嵌合ロック片９０のロック強度を強化するために、レセプタクルシェル７０自体の一部、即ち、上突出部９４及び下突出部９５と、これらに対応する上固定穴９６及び下固定穴９７とを用いることにより、部品点数の削減を図りつつ、ロック強度を向上させることができ、また、上固定穴９６や下固定穴９７の位置を、レセプタクルシェル７０という個品単体で決定することができるため、位置決めの安定化を図ることができる。更に、嵌合ロック片９０の上突出部９４や下突出部９５は、レセプタクルシェル７０の上板７７や底板７８の厚みを利用して、レセプタクルコネクタ６の厚み方向において、レセプタクルシェル７０の上板７７や底板７８から突出させずに収容配置させることができ、余計な突出を防止しつつ、強度を向上させることができる。尚、余計な突出を防止しつつ、上固定穴９６や下固定穴９７の強度を補強するため、それらの穴９６、９７の縁に、上板７７や底板７８から一段下げた状態とした段８４、８５を設けてもよい。これらの段８４、８５は、プレス加工によって容易に形成することができ、特に、本実施形態では、これらの段８４、８５を、こじり等の力を受けやすいレセプタクルコネクタ６の前方（前壁９３付近）に設けることとしている。
【００３１】
嵌合ロック片９０の基端側と逆方向に延びる自由端９２は嵌合口１１の内部に真っ直ぐに延長される。この自由端９２は、レセプタクルハウジング６０に設けた矩形孔６５へそのまま圧入される。圧入を容易にするため、自由端９２の先端部９８は多少先細形状にしてもよい。
【００３２】
レセプタクルコネクタ６のグランド接続は、直接基板に固定することによって行う。例えば、レセプタクルシェル７０の底面の一部が、プラグコネクタ２とレセプタクルコネクタ６の嵌合方向に沿って嵌合口１１の内部に向かって折り曲げられ、自由端７５を有するグランド片７６として形成してある。これらのグランド片７６は、雌端子８０間に配置される。このように雌端子８０の間に配置した場合には、コネクタの大型化を効果的に防ぐことができる。プラグコネクタ２とレセプタクルコネクタ６が嵌合したとき、グランド片７６の自由端７５はグランド面５１の裏面と弾性接触し、この接触を通じて、基板とケーブルをグランドに接続させることができる。尚、グランド片７６は、レセプタクルコネクタ６の底面に限らず、上面、両面のどこに配置しても良い。また、その数も特に限定されない。対応するプラグコネクタ２のグランド面５１は、同様に、底面の雄端子５０の間に配置されてもよいし、上面、両面のどこに配置されてもよい。
【００３３】
尚、上の実施形態では、嵌合ロック片９０は、嵌合口１１の内部へ向かって折り曲げることによって形成するものとしたが、図５に示した従来例のように、嵌合口の外側へ向かって折り曲げてもよい。但し、この場合は、上板７７や下板７８を長手方向において更に延在させて、嵌合ロック片に設けた上突出部９４、下突出部９５を固定させるものとする。
【００３４】
また、上の実施形態では、ロック片９０を、レセプタクルハウジング６０の左右両側の側部前壁６１を覆うような前壁９３の延伸部によって形成するものとしていしたが、これらロック片は、例えば、レセプタクルシェル７０の上板７７や底板７８の（両側）側部を折り曲げることによって形成されてもよい。更に言えば、これらロック片は、レセプタクルシェル７０の上板７７や底板７８の側部を左右両側に延伸させた部分、或いは、上板７７や底板の側部の一部を切り欠いた部分を、下方若しくは上方に垂直に折り曲げて形成されても良い。但し、例えば、上板７７の側部を折り曲げることによってロック片を形成した場合、上突出部（９４）に相当する部分は設けることはできず、下突出部（９５）に相当する部分しか設けることができないため、固定は下側の１ヶ所でのみ行われることになる。同様に、例えば、底板７８の側部を折り曲げることによってロック片を形成した場合、下突出部（９５）に相当する部分は設けることはできず、上突出部（９４）に相当する部分しか設けることができないため、固定は下側の１ヶ所でのみ行われることになる。
【００３５】
更に、レセプタクルハウジング６０の矩形孔６５へ圧入される部分、即ち、嵌合ロック片９０の自由端９２は、必ずしも必要なものではなく、例えば、ロック片９０の上突出部９４と下突出部９５がレセプタクルシェル７０の上板７７や底板７８に挿入可能な状態で設けられてさえいれば、自由端９２やその周辺部分を取り除くこともできる。
【産業上の利用可能性】
【００３６】
本発明は、電気コネクタに限らず、ロック機構を有する様々なコネクタに応用することができる。
【図面の簡単な説明】
【００３７】
【図１】本発明の好適な一つの実施形態による電気コネクタの上面斜視図である。
【図２】レセプタクルのみの分解斜視図である。
【図３】図２の（ｃ）におけるＡ−Ａ線断面図である。
【図４】図２の（ｃ）におけるＢ−Ｂ線断面図である。
【図５】従来コネクタにおけるロック機構の一例を示す概略断面斜視図である。
【符号の説明】
【００３８】
１  電気コネクタ
２  プラグコネクタ
６  レセプタクルコネクタ
１０  同軸ケーブル
１１  嵌合口
２０  プラグハウジング
２１  筐体
２２  嵌合部
２３  ガイドポスト
２４  ガイドポスト
２５  ロック部
２６  ロック部
２７  傾斜面
２８  傾斜面
３６  埋め込み部
３７  係合凸部
３８  係合凸部
３９  ロック金具
４０  プラグシェル
４１  上面部
４２  下面部
４４  側面折曲部
４５  背面折曲部
４６  埋込み固定部
４７  孔
４８  孔
５０  雄端子
５１  グランド面
６０  レセプタクルハウジング
６１  前壁
６２  端子溝
６３  収容空間
６４  収容空間
６５  矩形孔
６６  切り欠き部
６７  上面
６８  下面
６９  側面
７０  レセプタクルシェル
７１  基板用固定部
７２  側面押え部
７３  後方押え部
７４  根元
７５  自由端
７６  グランド片
７７  上板
７８  底板
７９  折り曲げ部
８０  雌端子
８１  上側接触部
８２  下側接触部
８３  基板固定部
８４  段
８５  段
９０  嵌合ロック片
９１  ロック孔
９２  自由端
９３  前壁
９４  上突出部
９５  下突出部
９６  上固定穴
９７  下固定穴
９８  先端部
【図１】
2008041268.tif 000003
【図２】
2008041268.tif 000004
【図３】
2008041268.tif 000005
【図４】
2008041268.tif 000006
【図５】
2008041268.tif 000007